(57)【要約】【課題】少ない文字変換作業で簡単に適切なチャプタ名を決定する。【解決手段】文字リストを記憶する文字リスト記憶手段１３ａと、コンテンツデータに含まれる選択されたフレーム画像から文字列を抽出する文字認識手段１２ａと、文字リストに基づいて抽出された文字列を分割し、この分割された文字列と仮名とを関連づけて予測文字リストとして記憶する予測文字リスト記憶手段１３ｂと、チャプタ名の編集が要求された場合に、予測文字リストから、表示されたチャプタ入力画面に入力された仮名と、先頭文字、又は先頭から複数文字が一致する仮名に対応する文字列を抽出し、この抽出された文字列をチャプタ名候補として表示部に表示させるチャプタ名候補表示制御手段１２ｃと、チャプタ名候補の中から選択されたチャプタ名候補をチャプタ名として決定するチャプタ生成手段１２ｄとを備える。【選択図】      図１
2009225145.tif 000002
【特許請求の範囲】
【請求項１】
コンテンツデータを記録すると共に、前記コンテンツデータを区切るチャプタのチャプタ名を編集するコンテンツ記録装置であって、
前記コンテンツデータからフレーム画像を選択する操作信号が外部より供給された場合に、選択された前記フレーム画像から文字列を抽出する文字認識手段と、
前記文字認識手段により抽出された文字列と、外部から供給されたこの文字列の読み方を示す仮名とを、関連づけて予測文字リストとして記憶する予測文字リスト記憶手段と、
前記コンテンツデータにおけるチャプタ名の編集を要求する操作信号が外部より供給された場合に、チャプタ入力画面を表示手段に表示させると共に、前記予測文字リスト記憶手段に記憶された予測文字リストから、前記チャプタ入力画面に入力された仮名と、先頭文字、又は先頭から複数文字が一致する前記仮名に対応する前記文字列を抽出し、この抽出された文字列をチャプタ名候補として前記表示手段に表示させるチャプタ名候補表示制御手段と、
前記表示手段に表示されたチャプタ名候補の中からいずれか１つを選択する操作信号が外部より供給された場合、この選択されたチャプタ名候補をチャプタ名として決定するチャプタ生成手段と、
を備えたことを特徴とするコンテンツ記録装置。
【請求項２】
コンテンツデータを記録すると共に、前記コンテンツデータを区切るチャプタのチャプタ名を編集するコンテンツ記録装置であって、
文字列と、この文字列の読み方を示す仮名とを関連づけて、文字リストとして記憶する文字リスト記憶手段と、
前記コンテンツデータからフレーム画像を選択する操作信号が外部より供給された場合に、選択された前記フレーム画像から文字列を抽出する文字認識手段と、
前記文字認識手段により抽出された文字列と、外部から供給されたこの文字列の読み方を示す仮名とを、関連づけて前記予測文字リストとして記憶すると共に、前記文字リスト記憶手段に記憶された文字リストに基づいて前記抽出された文字列を分割し、この分割された文字列と、外部から供給された前記分割された文字列の読み方を示す仮名とを、関連づけて前記予測文字リストとして記憶する予測文字リスト記憶手段と、
前記コンテンツデータにおけるチャプタ名の編集を要求する操作信号が外部より供給された場合に、チャプタ入力画面を表示手段に表示させると共に、前記予測文字リスト記憶手段に記憶された予測文字リストから、前記チャプタ入力画面に入力された仮名と、先頭文字、又は先頭から複数文字が一致する前記仮名に対応する前記文字列を抽出し、この抽出された文字列をチャプタ名候補として前記表示手段に表示させるチャプタ名候補表示制御手段と、
前記表示手段に表示されたチャプタ名候補の中からいずれか１つを選択する操作信号が外部より供給された場合、この選択されたチャプタ名候補をチャプタ名として決定するチャプタ生成手段と、
を備えたことを特徴とするコンテンツ記録装置。
【請求項３】
前記予測文字リスト記憶手段は、更に、
前記予測文字リストが外部から供給された場合に、供給された前記予測文字リストを記憶する
ことを特徴とする請求項１又は２記載のコンテンツ記録装置。
【発明の詳細な説明】
【技術分野】
【０００１】
本発明は、テレビジョン放送を録画した映像や、ビデオカメラで撮影した映像等のコンテンツデータを記録すると共に、コンテンツデータのチャプタを生成する際、このチャプタ名の編集作業を容易にするコンテンツ記録装置に関する。
【背景技術】
【０００２】
ビデオカメラ等の撮影装置を利用する利用者は、子供の成長等を記録するため、この撮影装置を用いて入園式、入学式、運動会等を撮影することがある。そして、利用者はこの撮影されたコンテンツデータを長期的に保存するため、又は他人に譲渡するために、コンテンツ記録装置を用いて、この撮影されたコンテンツデータをＤＶＤ（Digital Versatile Disc）等の記録媒体に記録することがある。
【０００３】
このような場合、コンテンツデータは、コンテンツデータのタイトル名が付与され、また、適切に区切られたチャプタに適切なチャプタ名が付与されて記録されることが望ましい。これにより、利用者は、コンテンツデータが記録されたＤＶＤを再生する際、チャプタ名を確認することにより、容易にチャプタ毎のコンテンツデータの内容を推測することができ、チャプタで示される時点からコンテンツデータを再生したり、チャプタで示される時点まで早送りしたり、特定のチャプタのみを繰り返し再生したりすることができる。
【０００４】
特許文献１には、データ再生装置において、入力されたマルチメディアデータ（コンテンツデータ）に音声認識をかけて得られたテキストを、言語的な知識を用いて区分けし、そこから元のマルチメディアデータにリンクしたチャプタを自動的に作る技術が提案されている。
【特許文献１】特開２００３−２３００９４号公報
【発明の開示】
【発明が解決しようとする課題】
【０００５】
しかしながら、特許文献１に記載の技術では、入力されたマルチメディアデータ（コンテンツデータ）に音声認識をかけて得られたテキストに基づいて、チャプタを生成するので、コンテンツデータに音声データとして記録されていない文字列をチャプタ名として生成することができなかった。
【０００６】
例えば、ビデオカメラで撮影されたコンテンツデータが、入学式を撮影したものであり、このコンテンツデータに「第１０回  ○×小学校入学式」というチャプタを付加したい場合、コンテンツデータに音声データとして「第１０回  ○×小学校入学式」が含まれていなければ、これをチャプタ名として生成することができなかった。
【０００７】
また、コンテンツデータに、利用者所望の文字列が音声データとして記録されている場合であっても、音声データから認識した文字列から、適切なチャプタ名を付与してチャプタを生成するためには、利用者は、音声データから認識した文字列を適切な文字列に変換する作業を行う必要があった。
【０００８】
さらに、利用者は、認識した文字列を適切な文字列に変換する作業を行う場合、この認識した文字列を漢字登録されていない漢字や、地名や人名等通常の読み方と異なる読み方の漢字等を含む文字列に変換しようとすると、所望の漢字とは異なる漢字に変換されてしまうことが多いため、チャプタ名を決定するために何度も再変換を行わなければならず、相当の時間を要するという問題があった。
【０００９】
本発明は、上記課題に鑑みてなされたものであり、少ない文字変換作業で簡単に適切なチャプタ名を決定することができるコンテンツ記録装置を提供することを目的とする。
【課題を解決するための手段】
【００１０】
上記目的を達成するため、本発明に係るコンテンツ記録装置の第１の特徴は、コンテンツデータを記録すると共に、前記コンテンツデータを区切るチャプタのチャプタ名を編集するコンテンツ記録装置（１）であって、前記コンテンツデータからフレーム画像を選択する操作信号が外部より供給された場合に、選択された前記フレーム画像から文字列を抽出する文字認識手段（１２ａ）と、前記文字認識手段（１２ａ）により抽出された文字列と、外部から供給されたこの文字列の読み方を示す仮名とを、関連づけて予測文字リストとして記憶する予測文字リスト記憶手段（１３ｂ）と、前記コンテンツデータにおけるチャプタ名の編集を要求する操作信号が外部より供給された場合に、チャプタ入力画面を表示手段（１１ｂ）に表示させると共に、前記予測文字リスト記憶手段（１３ｂ）に記憶された予測文字リストから、前記チャプタ入力画面に入力された仮名と、先頭文字、又は先頭から複数文字が一致する前記仮名に対応する前記文字列を抽出し、この抽出された文字列をチャプタ名候補として前記表示手段（１１ｂ）に表示させるチャプタ名候補表示制御手段（１２ｃ）と、前記表示手段（１１ｂ）に表示されたチャプタ名候補の中からいずれか１つを選択する操作信号が外部より供給された場合、この選択されたチャプタ名候補をチャプタ名として決定するチャプタ生成手段（１２ｄ）とを備えたことにある。
【００１１】
上記目的を達成するため、本発明に係るコンテンツ記録装置の第２の特徴は、コンテンツデータを記録すると共に、前記コンテンツデータを区切るチャプタのチャプタ名を編集するコンテンツ記録装置（１）であって、文字列と、この文字列の読み方を示す仮名とを関連づけて、文字リストとして記憶する文字リスト記憶手段（１３ａ）と、前記コンテンツデータからフレーム画像を選択する操作信号が外部より供給された場合に、選択された前記フレーム画像から文字列を抽出する文字認識手段（１２ａ）と、前記文字認識手段（１２ａ）により抽出された文字列と、外部から供給されたこの文字列の読み方を示す仮名とを、関連づけて前記予測文字リストとして記憶すると共に、前記文字リスト記憶手段（１３ａ）に記憶された文字リストに基づいて前記抽出された文字列を分割し、この分割された文字列と、外部から供給された前記分割された文字列の読み方を示す仮名とを、関連づけて前記予測文字リストとして記憶する予測文字リスト記憶手段（１３ｂ）と、前記コンテンツデータにおけるチャプタ名の編集を要求する操作信号が外部より供給された場合に、チャプタ入力画面を表示手段（１１ｂ）に表示させると共に、前記予測文字リスト記憶手段（１３ｂ）に記憶された予測文字リストから、前記チャプタ入力画面に入力された仮名と、先頭文字、又は先頭から複数文字が一致する前記仮名に対応する前記文字列を抽出し、この抽出された文字列をチャプタ名候補として前記表示手段（１１ｂ）に表示させるチャプタ名候補表示制御手段（１２ｃ）と、前記表示手段（１１ｂ）に表示されたチャプタ名候補の中からいずれか１つを選択する操作信号が外部より供給された場合、この選択されたチャプタ名候補をチャプタ名として決定するチャプタ生成手段（１２ｄ）と、を備えたことにある。
【００１２】
上記目的を達成するため、本発明に係るコンテンツ記録装置の第３の特徴は、前記予測文字リスト記憶手段（１３ｂ）は、更に、前記予測文字リストが外部から供給された場合に、供給された前記予測文字リストを記憶することにある。
【発明の効果】
【００１３】
本発明に係るコンテンツ記録装置によれば、少ない文字変換作業で簡単に適切なチャプタ名を決定することができる。
【発明を実施するための最良の形態】
【００１４】
以下、本発明を実施するための最良の形態について図面を参照して説明する。
【００１５】
本実施形態では、テレビジョン放送を録画した映像や、ビデオカメラで撮影した映像等のコンテンツデータを記録すると共に、コンテンツデータのチャプタを生成する際、このチャプタ名の編集作業を容易にするコンテンツ記録装置に関する。
【００１６】
≪コンテンツ記録装置の構成≫
図１は、本実施形態に係るコンテンツ記録装置の構成を示す構成図である。
【００１７】
図１に示すように、本実施形態に係るコンテンツ記録装置１は、ユーザインタフェース部１１と、ＣＰＵ１２と、文字認識辞書記憶部１３と、データ入力部１４と、映像データ処理部１５と、メディアドライブ１６と、ハードディスク１７とを備える。また、本実施形態に係るコンテンツ記録装置１には、コンテンツデータ等を読み出し、又は記録するための光ディスク２０が挿入される。
【００１８】
ユーザインタフェース部１１は、入力手段１１ａと出力手段１１ｂとを備えている。
【００１９】
入力手段１１ａは、例えば、操作パネル等で構成されており、利用者操作に基づいて、各種操作信号を生成し、この生成された操作信号をＣＰＵに供給する。
【００２０】
出力手段１１ｂは、例えば液晶ディスプレイ、及びスピーカ等で構成され、ハードディスク１７や光ディスク２０に記録されたコンテンツデータを出力し、また、ＣＰＵからの命令に基づいて、各種画面や音声を出力する。
【００２１】
データ入力部１４は、外部から供給されるコンテンツデータを、映像データ処理部１５へ供給する。また、データ入力部１４は、カードスロットを有しており、例えば、メモリカード等の記憶媒体がこのカードスロットに挿入されると、この記憶媒体に記憶された予測文字リストを読み出し、この読み出された予測文字リストをＣＰＵ１２へ供給する。
【００２２】
映像データ処理部１５は、ＣＰＵ１２からの命令に従って、データ入力部１４を介して入力されるコンテンツデータを、後述するメディアドライブ１６に供給する。さらに、映像データ処理部１５は、利用者操作によりコンテンツデータの再生が要求された場合には、メディアドライブ１６にコンテンツデータを読み出させ、メディアドライブ１６から供給されたコンテンツデータを再生する。
【００２３】
メディアドライブ１６は、ハードディスク１７や光ディスク２０に記録されたコンテンツデータを読み出し、この読み出されたコンテンツデータを映像データ処理部１５へ供給する。また、メディアドライブ１６は、映像データ処理部１５から供給されたコンテンツデータをハードディスク１７や光ディスク２０に記録する。
【００２４】
ハードディスク１７は、映像データ処理部１５から供給されたコンテンツデータを記録する。
【００２５】
文字認識辞書記憶部１３は、不揮発性の半導体メモリ等で構成されており、その機能ブロックとして、文字リスト記憶手段１３ａと、予測文字リスト記憶手段１３ｂとを備えている。
【００２６】
予測文字リスト記憶手段１３ｂは、利用者所望の文字列と、この文字列の読み方を示す仮名とを関連づけて、予測文字リストとして記憶する。ここで利用者所望の文字列とは、利用者がカスタマイズする、利用者にとって特別な意味があったり、特に多く使用する利用者に関連する文字列であり、後述するＣＰＵ１２により文字認識された文字列、又はデータ入力部１４から供給された予測文字リストに含まれる文字列のことをいう。
【００２７】
図２は、予測文字リスト記憶手段１３ｂに記憶された予測文字リストの一例を示した図である。
【００２８】
図２に示すように、予測文字リストは、文字列１３１と、仮名１３２とが関連づけられて記憶されており、後述するように、ユーザインタフェース部１１からＣＰＵ１２に文字列１３１の仮名が供給された場合には、この文字列１３１に関連づけられた仮名１３２に仮名が入力される。
【００２９】
文字リスト記憶手段１３ａは、文字列と、この文字列の読み方を示す仮名とを関連づけて、文字リストとして記憶する。なお、文字リストは、利用者操作によってカスタマイズされることなく、デフォルトとして一般的な文字が記憶されており、図２に示した予測文字リストと同様に、文字列１３１と、仮名１３２とが関連づけられて記憶されている。
【００３０】
ＣＰＵ１２は、コンテンツ記録装置１の中枢的な制御を行う。また、その機能上、文字認識手段１２ａと、登録手段１２ｂと、チャプタ名候補表示制御手段１２ｃと、チャプタ生成手段１２ｄとを備える。
【００３１】
文字認識手段１２ａは、コンテンツデータからフレーム画像を選択する操作信号がユーザインタフェース部１１の入力手段１１ａより供給された場合に、選択されたフレーム画像を文字認識することによって文字列を抽出する。
【００３２】
登録手段１２ｂは、文字認識手段１２ａにより抽出された文字列を予測文字リスト記憶手段１３ｂに記憶させる。そして、ユーザインタフェース部１１の入力手段１１ａより文字列の読み方を示す仮名が供給された場合に、供給された仮名と文字列とを関連づけて予測文字リストとして予測文字リスト記憶手段１３ｂに記憶させる。
【００３３】
また、登録手段１２ｂは、文字リスト記憶手段１３ａに記憶された文字リストに基づいて、文字認識手段１２ａにより抽出された文字列を分割し、この分割された文字列を予測文字リスト記憶手段１３ｂに記憶させる。そして、ユーザインタフェース部１１の入力手段１１ａより分割された文字列の読み方を示す仮名が供給された場合に、供給された仮名と分割された文字列とを関連づけて予測文字リストとして予測文字リスト記憶手段１３ｂに記憶させる。
【００３４】
また、登録手段１２ｂは、データ入力部１４により読み出された予測文字リストが供給された場合に、供給された予測文字リストを予測文字リスト記憶手段１３ｂに記憶させる。
【００３５】
チャプタ名候補表示制御手段１２ｃは、コンテンツデータにおけるチャプタ名の編集を要求する操作信号が、ユーザインタフェース部１１の入力手段１１ａから供給された場合に、チャプタ入力画面を出力手段１１ｂに表示させると共に、予測文字リスト記憶手段１３ｂに記憶された予測文字リストから、チャプタ入力画面に入力された仮名と、先頭文字、又は先頭から複数文字が一致する仮名に対応する文字列を抽出し、この抽出された文字列をチャプタ名候補として出力手段１１ｂに表示させる。
【００３６】
チャプタ生成手段１２ｄは、ユーザインタフェース部１１の出力手段１１ｂに表示されたチャプタ名候補の中からいずれか１つを選択する操作信号がユーザインタフェース部１１の入力手段１１ａより供給された場合、この選択されたチャプタ名候補をチャプタ名として決定し、チャプタを生成する。
【００３７】
≪コンテンツ記録装置の作用≫
以下に、本実施形態に係るコンテンツ記録装置１の作用について説明する。
【００３８】
本実施形態に係るコンテンツ記録装置１は、予測文字リストを登録すると共に、適切なチャプタ名を付与してチャプタを生成する。以下に予測文字リスト登録処理及びチャプタ生成処理について詳細に説明する。
【００３９】
＜予測文字リスト登録処理＞
本実施形態に係るコンテンツ記録装置１における予測文字リスト登録処理について、説明する。
【００４０】
図３は、本実施形態に係るコンテンツ記録装置１における予測文字リスト登録処理の処理手順を示したフローチャートである。
【００４１】
まず、ＣＰＵ１２は、利用者の操作によってユーザインタフェース部１１の入力手段１１ａからコンテンツデータの再生を要求する操作信号が供給されると（ステップＳ１０１）、映像データ処理部１５にコンテンツデータの再生を命令する。
【００４２】
そして、映像データ処理部１５は、メディアドライブ１６がハードディスク１７から読み出したコンテンツデータを再生する（ステップＳ１０２）。
【００４３】
コンテンツデータが再生されると、ＣＰＵ１２は、再生されたコンテンツデータに含まれる映像データに基づいてユーザインタフェース部１１の出力手段１１ｂに映像を表示させる。
【００４４】
次に、ＣＰＵ１２の文字認識手段１２ａは、ユーザインタフェース部１１の入力手段１１ａから、文字認識を行うためのフレーム画像を選択する操作信号が供給されると（ステップＳ１０３）、再生されているコンテンツデータから操作信号が供給されたときのフレーム画像を選択し、選択されたフレーム画像から文字認識処理により文字列を抽出する（ステップＳ１０４）。
【００４５】
次に、ＣＰＵ１２の登録手段１２ｂは、文字認識辞書記憶部１３の予測文字リスト記憶手段１３ｂから予測文字リストを読み出す（ステップＳ１０５）。
【００４６】
そして、登録手段１２ｂは、ステップＳ１０４において抽出された文字列が、ステップＳ１０５において読み出された予測文字リストに含まれているか否かを判定する（ステップＳ１０６）。予測文字リストに含まれていると判定された場合、処理をステップＳ１０８に移行し、予測文字リストに記憶されていないと判定された場合、処理をステップＳ１０７に移行する。
【００４７】
ステップＳ１０６において、予測文字リストに含まれていないと判定された場合、登録手段１２ｂは、抽出された文字列を予測文字リスト記憶手段１３ｂに記憶させる（ステップＳ１０７）。
【００４８】
次に、登録手段１２ｂは、文字認識辞書記憶部１３の文字リスト記憶手段１３ａから文字リストを読み出す（ステップＳ１０８）。
【００４９】
そして、登録手段１２ｂは、ステップＳ１０４において抽出された文字列を、ステップＳ１０８において読み出された文字リストに基づいて、所定の文字列毎に分割する（ステップＳ１０９）。
【００５０】
例えば、ステップＳ１０４において抽出された文字列が、「東京小学校入学式」であったとする。また、文字リスト記憶手段１３ａには、一般的な文字列が記憶されているので、「東京」、「小学校」、「入学式」という文字列が記憶されているとする。このような場合、登録手段１２ｂは、「東京小学校入学式」の文字列は、「東京」、「小学校」、「入学式」の３つの文字列で構成されると認識し、これら「東京」、「小学校」、「入学式」の文字列に分割する。
【００５１】
また、ステップＳ１０４において抽出された文字列が、「○×小学校入学式」であって、文字リスト記憶手段１３ａには、「小学校」、「入学式」という文字列が記憶されており、「○×」という文字列は記憶されていないとする。このような場合、登録手段１２ｂは、「○×小学校入学式」の文字列が、「小学校」、「入学式」の２つの文字列と、この２つの文字列以外の部分、即ち「○×」とで構成されると認識し、これら「○×」、「小学校」、「入学式」の文字列に分割する。
【００５２】
次に、登録手段１２ｂは、ステップＳ１０９において分割された文字列が、読み出された予測文字リストに含まれているか否かを判定する。登録手段１２ｂは、予測文字リストに含まれると判定された場合、処理をステップＳ１１２に移行し、予測文字リストに含まれないと判定された場合、処理をステップＳ１１１に移行する。
【００５３】
ステップＳ１１０において、予測文字リストに含まれないと判定された場合、登録手段１２ｂは、ステップＳ１０９において分割された文字列を予測文字リスト記憶手段１３ｂに記憶させる（ステップＳ１１１）。
【００５４】
次に、登録手段１２ｂは、利用者の操作によってユーザインタフェース部１１の入力手段１１ａから文字認識の終了を要求する操作信号が供給されたか否かを判定し（ステップＳ１１２）、操作信号が供給されるまで、ステップＳ１０２〜Ｓ１１２の処理を繰り返すことによって、利用者が所望するフレーム画像に含まれる文字列、及びこの文字列を分割した文字列を予測文字リストとして記憶する。
【００５５】
ステップＳ１１２において、文字認識の終了を要求する操作信号が供給されたと判定された場合、登録手段１２ｂは、予測文字リスト記憶手段１３ｂに記憶された予測文字リストから、仮名が記憶されていない文字列を抽出し、この抽出された文字列をユーザインタフェース部１１の出力手段１１ｂに表示させる（ステップＳ１１３）。具体的には、予測文字リスト記憶手段１３ｂに図２に示した予測文字リストが記憶されている場合、仮名が記憶されていない文字列である「○×」を抽出し、この抽出された文字列である「○×」を出力手段１１ｂに表示させる。
【００５６】
そして、この表示された文字列に対する仮名を入力するための操作信号がユーザインタフェース部１１の入力手段１１ａから供給されると（ステップＳ１１４）、登録手段１２ｂは、ステップＳ１１３において抽出された文字列に、ステップＳ１１４において入力された仮名を関連付けて予測文字リスト記憶手段１３ｂに記憶させる（ステップＳ１１５）。
【００５７】
次に、登録手段１２ｂは、利用者の操作によってユーザインタフェース部１１の入力手段１１ａから仮名登録の終了を要求する操作信号が供給されたか否かを判定し（ステップＳ１１６）、操作信号が供給されるまで、ステップＳ１１４〜Ｓ１１６の処理を繰り返すことによって、予測文字リスト記憶手段１３ｂに記憶された予測文字リストのうち、仮名が記憶されていない文字列について、仮名を関連付けて記憶する。
【００５８】
＜チャプタ生成処理＞
本実施形態に係るコンテンツ記録装置１におけるチャプタ生成処理について説明する。
【００５９】
図４は、本実施形態に係るコンテンツ記録装置１におけるチャプタ生成処理の処理手順を示したフローチャートである。
【００６０】
まず、ＣＰＵ１２は、利用者の操作によってユーザインタフェース部１１の入力手段１１ａからコンテンツデータの再生を要求する操作信号が供給されると（ステップＳ２０１）、映像データ処理部１５にコンテンツデータの再生を命令する。
【００６１】
そして、映像データ処理部１５は、メディアドライブ１６によりハードディスク１７から読み出されたコンテンツデータを再生する（ステップＳ２０２）。
【００６２】
コンテンツデータが再生されると、ＣＰＵ１２は、再生されたコンテンツデータに含まれる映像データに基づいて、ユーザインタフェース部１１の出力手段１１ｂに映像を表示させる。
【００６３】
次に、ＣＰＵ１２のチャプタ名候補表示制御手段１２ｃは、ユーザインタフェース部１１の入力手段１１ａから、編集を要求する操作信号が供給されると（ステップＳ２０３）、出力手段１１ｂに編集リスト一覧画面を表示させる（ステップＳ２０４）。
【００６４】
図５は、ユーザインタフェース部１１の出力手段１１ｂが表示する編集リスト一覧画面の一例を示した図である。
【００６５】
図５に示すように、編集リスト一覧画面には、画面タイトル表示領域５０１と、編集メニュー表示領域５０２と、詳細編集メニュー表示領域５０３とが、エリア分割されて表示されている。
【００６６】
画面タイトル表示領域５０１には、画面のタイトルとして「編集リスト一覧」が表示されており、編集メニュー表示領域５０２には、「タイトル」、「チャプタ」、「サムネイル」等の編集メニューが一覧表示される。
【００６７】
そして、利用者が、編集メニュー表示領域５０２に表示された編集メニューから「チャプタ」を選択する操作を行うと、ユーザインタフェース部１１は、チャプタの編集を要求する操作信号をチャプタ名候補表示制御手段１２ｃへ供給し、この操作信号が供給されるとチャプタ名候補表示制御手段１２ｃは、処理をステップＳ２０６へ移行する（ステップＳ２０５）。
【００６８】
ステップＳ２０５において、チャプタの編集を要求する操作信号が供給されたと判定された場合、チャプタ名候補表示制御手段１２ｃは、チャプタ名編集を要求する操作信号が供給されたか否かを判定する（ステップＳ２０６）。具体的には、利用者が、図５に示した編集一覧画面の詳細編集メニュー表示領域５０３に表示された詳細編集メニューから「チャプタ名」を選択する操作を行うと、ユーザインタフェース部１１の入力手段１１ａは、チャプタ名編集を要求する操作信号をチャプタ名候補表示制御手段１２ｃへ供給し、この操作信号が供給されるとチャプタ名候補表示制御手段１２ｃは、処理をステップＳ２０７へ移行する。
【００６９】
ステップＳ２０６において、チャプタ名編集を要求する操作信号が供給されたと判定された場合、チャプタ名候補表示制御手段１２ｃは、ユーザインタフェース部１１の出力手段１１ｂにチャプタ名編集選択画面を表示させる（ステップＳ２０７）。
【００７０】
図６は、ユーザインタフェース部１１の出力手段１１ｂが表示するチャプタ名編集選択画面の一例を示した図である。
【００７１】
図６に示すように、チャプタ名編集選択画面には、画面タイトル表示領域６０１と、編集メニュー表示領域６０２とが、エリア分割されて表示されている。
【００７２】
また、画面タイトル表示領域６０１には、画面のタイトルとして「チャプタ名編集」が表示されており、編集メニュー表示領域６０２には、「登録リスト一覧６０２ａ」と、「新規入力６０２ｂ」とが、表示される。
【００７３】
そして、利用者が、編集メニュー表示領域６０２に表示された編集メニューから「登録リスト一覧６０２ａ」を選択する操作を行うと、ユーザインタフェース部１１の入力手段１１ａは、登録リスト一覧画面の表示を要求する操作信号をチャプタ名候補表示制御手段１２ｃへ供給し、この操作信号が供給されるとチャプタ名候補表示制御手段１２ｃは、処理をステップＳ２０９へ移行する（ステップＳ２０８）。
【００７４】
ステップＳ２０８において、登録リスト一覧画面の表示を要求する操作信号が供給されたと判定された場合、チャプタ名候補表示制御手段１２ｃは、ユーザインタフェース部１１に登録リスト一覧画面を表示させる（ステップＳ２０９）。
【００７５】
図７は、ユーザインタフェース部１１が表示する登録リスト一覧画面の一例を示した図である。
【００７６】
図７に示すように、登録リスト一覧画面には、画面タイトル表示領域７０１と、チャプタ名登録一覧表示領域７０２とが、エリア管轄されて表示されている。
【００７７】
画面タイトル表示領域７０１には、画面のタイトルとして「チャプタ名登録リスト一覧」が表示されている。
【００７８】
また、チャプタ名候補表示制御手段１２ｃは、予測文字リスト記憶手段１３ｂから予測文字リストを読み出し、読み出された予測文字リストに含まれる文字列の全てを、チャプタ名登録一覧表示領域７０２にチャプタ名登録一覧として表示させる。
【００７９】
図７に示すように、チャプタ名登録一覧表示領域７０２には、予測文字リストに含まれる「東京小学校入学式」、「第３２回」、「式次第」等の文字列がチャプタ名登録一覧として表示されている。
【００８０】
そして、利用者操作により、チャプタ名登録一覧表示領域７０２に表示されたチャプタ名登録一覧の中から、いずれか１つを選択するための操作信号がユーザインタフェース部１１の入力手段１１ａから供給されると、チャプタ生成手段１２ｄは、選択された文字列をチャプタ名として決定し、この文字列をチャプタ名としてチャプタを生成する（ステップＳ２１０）。
【００８１】
一方、ステップＳ２０８において、新規入力画面の表示を要求する操作信号が供給されなかったと判定された場合、チャプタ名候補表示制御手段１２ｃは、ユーザインタフェース部１１に新規入力画面を表示させる（ステップＳ２１１）。
【００８２】
具体的には、利用者が、図６に示したチャプタ名編集選択画面の編集メニュー表示領域６０２に表示された編集メニューから「新規入力６０２ｂ」を選択する操作を行うと、ユーザインタフェース部１１の入力手段１１ａは、新規入力画面の表示を要求する操作信号をチャプタ名候補表示制御手段１２ｃへ供給し、この操作信号が供給されるとチャプタ名候補表示制御手段１２ｃは、出力手段１１ｂに新規入力画面を表示させる。
【００８３】
図８は、ユーザインタフェース部１１の出力手段１１ｂが表示する新規入力画面の一例を示した図である。
【００８４】
図８に示すように、新規入力画面には、画面タイトル表示領域８０１と、操作キー表示領域８０２と、入力対応キー表示領域８０３と、入力領域８０４と、予測文字リスト表示領域８０５が、エリア分割されて表示されている。
【００８５】
画面タイトル表示領域８０１には、画面のタイトルとして「新規入力」が表示されており、操作キー表示領域８０２には、ユーザインタフェース部１１の入力手段１１ａに備えられた操作キーに割り当てられた各種機能が表示されており、入力対応キー表示領域８０３には、数字キーに割り当てられた仮名が表示されている。
【００８６】
そして、利用者が、入力領域８０４に仮名を入力する操作を行うと、ユーザインタフェース部１１の入力手段１１ａは、この入力された仮名から予測される予測文字列を予測文字リスト表示領域８０５に表示する。
【００８７】
具体的には、利用者が、入力領域８０４に仮名を入力する操作を行うと、ユーザインタフェース部１１の入力手段１１ａは、入力された仮名をチャプタ名候補表示制御手段１２ｃへ供給し、この仮名が供給されるとチャプタ名候補表示制御手段１２ｃは、処理をステップＳ２１４へ移行する（ステップＳ２１３）。
【００８８】
そして、ステップＳ２１３において、仮名が入力されたと判定された場合、チャプタ名候補表示制御手段１２ｃは、予測文字リスト記憶手段１３ｂに記憶された予測文字リストの中から、供給された仮名と先頭文字が一致する仮名に対応する文字列を抽出する（ステップＳ２１４）。さらに、複数の仮名が供給されたと判定された場合、チャプタ名候補表示制御手段１２ｃは、予測文字リスト記憶手段１３ｂに記憶された予測文字リストの中から、供給された複数の仮名と、先頭からこの複数の仮名に一致する複数の仮名に対応する文字列を抽出する。
【００８９】
そして、チャプタ名候補表示制御手段１２ｃは、抽出された文字列を、新規入力画面の予測文字リスト表示領域８０５に表示させる（ステップＳ２１５）。
【００９０】
次に、利用者操作により、予測文字リスト表示領域８０５に表示された文字列の中からいずれか１つを選択するための操作信号が、ユーザインタフェース部１１の入力手段１１ａから供給されると、チャプタ生成手段１２ｄは、選択された文字列をチャプタ名として決定し、この文字列をチャプタ名としてチャプタを生成する（ステップＳ２１６）。
【００９１】
次に、チャプタ生成手段１２ｄは、利用者の操作によってユーザインタフェース部１１の入力手段１１ａからチャプタ生成の終了を要求する操作信号が供給されたか否かを判定し（ステップＳ２１７）、操作信号が供給されるまで、チャプタ名候補表示制御手段１２ｃとチャプタ生成手段１２ｄとが、ステップＳ２０６〜Ｓ２１７の処理を繰り返すことによって、利用者が所望するチャプタ名でチャプタを生成する。
【００９２】
以上のように、本発明に係るコンテンツ記録装置１によれば、少ない文字変換作業で簡単に適切なチャプタ名を付与してチャプタを生成することができる。
【００９３】
なお、本実施形態に係るコンテンツ記録装置１では、コンテンツデータを再生中に、ユーザインタフェース部１１の入力手段１１ａから編集を要求する操作信号が供給されると、ＣＰＵ１２のチャプタ名候補表示制御手段１２ｃが、ユーザインタフェース部１１の出力手段１１ｂに編集リスト一覧画面を表示させたが、例えば、映像データ処理部１５が、ハードディスク１７にコンテンツデータを記録させる際に、仮のチャプタ名を付与してチャプタを生成し、このコンテンツデータを光ディスク２０に記録させる際に、ユーザインタフェース部１１の出力手段１１ｂに編集リスト一覧画面を表示させ、チャプタ名を編集するようにしてもよい。
【００９４】
また、上述した実施形態を、コンピュータにインストールしたコンテンツ記録プログラムを実行させることにより実現することもできる。即ち、このコンテンツ記録プログラムは、例えば、コンテンツ記録プログラムが記憶された記録媒体から読み出され、ＣＰＵで実行されることによりコンテンツ記録装置１を構成するようにしてもよい。
【図面の簡単な説明】
【００９５】
【図１】本実施形態に係るコンテンツ記録装置の構成を示す構成図である。
【図２】本実施形態に係るコンテンツ記録装置の予測文字リスト記憶手段に記憶された予測文字リストの一例を示した図である。
【図３】本実施形態に係るコンテンツ記録装置における予測文字リスト登録処理の処理手順を示したフローチャートである。
【図４】本実施形態に係るコンテンツ記録装置におけるチャプタ生成処理の処理手順を示したフローチャートである。
【図５】本実施形態に係るコンテンツ記録装置のユーザインタフェース部が表示する編集リスト一覧画面の一例を示した図である。
【図６】本実施形態に係るコンテンツ記録装置のユーザインタフェース部が表示するチャプタ名編集選択画面の一例を示した図である。
【図７】本実施形態に係るコンテンツ記録装置のユーザインタフェース部が表示する登録リスト一覧画面の一例を示した図である。
【図８】本実施形態に係るコンテンツ記録装置のユーザインタフェース部が表示する新規入力画面の一例を示した図である。
【符号の説明】
【００９６】
１…コンテンツ記録装置
１１…ユーザインタフェース部
１１ａ…入力手段
１１ｂ…出力手段（表示手段）
１２…ＣＰＵ
１２ａ…文字認識手段
１２ｂ…登録手段
１２ｃ…チャプタ名候補表示制御手段
１２ｄ…チャプタ生成手段
１３…文字認識辞書記憶部
１３ａ…文字リスト記憶手段
１３ｂ…予測文字リスト記憶手段
１４…データ入力部
１５…映像データ処理部
１６…メディアドライブ
１７…ハードディスク
２０…光ディスク
【図１】
2009225145.tif 000003
【図２】
2009225145.tif 000004
【図３】
2009225145.tif 000005
【図４】
2009225145.tif 000006
【図５】
2009225145.tif 000007
【図６】
2009225145.tif 000008
【図７】
2009225145.tif 000009
【図８】
2009225145.tif 000010